(57)【要約】【課題】本発明は、再生塊の純正品と偽造品や紛い物とを容易に識別できる再生塊の品質保障方法および品質保証システムの提供。【解決手段】鋳造元においては、前記再生塊を成分分析し、得られた成分分析結果を前記再生塊の鋳造ロットを示す鋳造ロット記号と関連付け、鋳造ロット記号と関連付けられた成分分析結果のデータを前記再生塊を出荷するユーザに送付するとともに、前記再生塊の組成範囲を表示する符号および鋳造ロット記号を前記再生塊に付して前記ユーザに出荷し、前記ユーザにおいては、前記鋳造元から前記再生塊を受領すると、前記再生塊に付された鋳造ロット記号および符号を、前記鋳造元から送付されたデータと比較して前記再生塊が純正品か偽造品かを判定する。【選択図】図７
2009237819.tif 000002
【特許請求の範囲】
【請求項１】
未使用平版印刷版および使用済み平版印刷版の少なくとも一方を溶解して所定の形状に鋳造した再生塊の品質保証方法であって、
前記再生塊を鋳造した鋳造元においては、
前記再生塊を成分分析し、得られた成分分析結果を前記再生塊の鋳造ロットを示す鋳造ロット記号と関連付け、鋳造ロット記号と関連付けられた成分分析結果のデータを前記再生塊を出荷する相手先のユーザに送付するとともに、
前記再生塊の組成範囲を表示する符号および鋳造ロット記号を前記再生塊に付して前記ユーザに出荷し、
前記ユーザにおいては、前記鋳造元から前記再生塊を受領すると、前記再生塊に付された鋳造ロット記号および符号を、前記鋳造元から送付されたデータと比較し、前記データに係る鋳造ロット記号に関連付けられた成分分析結果が、前記符号で表示される組成範囲内であれば前記再生塊は純正品であると判定し、前記データに係る鋳造ロット記号に関連付けられた成分分析結果が、前記符号で表示される組成範囲外であれば前記再生塊は偽造品であると判定することを特徴とする再生塊の品質保証方法。
【請求項２】
前記鋳造元においては、組成範囲を示す符号および鋳造ロット記号に加えて前記再生塊の製造場所、および鋳造年月日も示す符号も前記再生塊に付してユーザに出荷する請求項１に記載の再生塊の品質保証方法。
【請求項３】
前記鋳造元において前記ユーザに出荷される再生塊に附される符号は、色彩によって前記再生塊に含まれる元素の種類を示し、前記符号の個数によって前記元素の含有量の範囲を示す請求項１または２に記載の再生塊の品質保証方法。
【請求項４】
前記鋳造元においては、前記再生塊の成分分析結果に加えて重量データもユーザに送付する請求項１〜３の何れか１項に記載の再生塊の品質保証方法。
【請求項５】
前記ユーザにおいては、前記再生塊を鋳造元から受領すると、鋳造元から送付された前記再生塊に係るデータにおける成分分析結果を環境規制物質の規制基準と比較し、前記データに係る鋳造ロット記号に関連付けられた成分分析結果が前記符号で表示される組成範囲内であり、しかも前記成分分析結果に示される環境規制物質の含有量が前記規制基準内であるとき、前記再生塊を受け入れる請求項１〜４の何れか１項に記載の再生塊の品質保証方法。
【請求項６】
前記ユーザでは、純正品と判定した複数の再生塊の夫々について、前記再生塊の鋳造ロット記号と前記鋳造元から送付されたデータとから成分分析結果を求め、前記成分分析結果の平均が前記ユーザにおいて予め定められた基準内であれば、前記複数の再生塊を受け入れる請求項１〜５の何れか1項に記載の再生塊の品質保証方法。
【請求項７】
前記ユーザでは、純正品と判定した再生塊について、前記再生塊の鋳造ロット記号と前記鋳造元から送付されたデータとから成分分析結果を求め、
次に、鋳造元から送付された前記再生塊の重量データおよび前記手順で求められた再生塊の成分分析結果と、前記再生塊に所定の重量比で配合しようとする純アルミニウムまたはアルミニウム合金の新地金の成分組成および前記再生塊に対する重量比とから、前記再生塊および新地金から製造される平版印刷版用スラブの成分組成を求め、
上記手順で求められた平版印刷版用スラブの成分組成がユーザの定めた基準内であれば、前記再生塊を受け入れる請求項４に記載の再生塊の品質保証方法。
【請求項８】
未使用平版印刷版および使用済み平版印刷版の少なくとも一方を溶解して所定の形状に鋳造した再生塊の品質保証システムであって、
前記再生塊を成分分析して得られた成分分析結果を前記再生塊の鋳造ロットを示す鋳造ロット記号と関連付ける第1の処理装置と、
前記第１の処理装置で関連付けられた成分分析結果と前記鋳造ロット記号とが格納される第１の記憶装置と、
得られた再生塊に付された成分組成を示す符号の色彩、形状、個数と前記再生塊の組成範囲とが関連付けられて格納されている第２の記憶装置と、
前記再生塊の鋳造ロット記号と、前記鋳造ロットに付された符号の色彩、形状、個数とが入力されると、前記第１の記憶装置から前記鋳造ロット記号に対応する成分分析結果を呼び出し、前記第２の記憶装置から前記符号の色彩、形状、個数に対応する前記鋳塊の組成範囲を読み出す第２の処理装置と、
前記再生塊の鋳造ロット記号と、前記鋳造ロットに付された符号の色彩、形状、個数とを前記第２の処理装置に入力する入力装置と、
前記入力装置から前記第２の処理装置に前記再生塊の鋳造ロット記号と、前記鋳造ロットに付された符号の色彩、形状、個数とが入力され、前記第２の処理装置によって前記鋳造ロット記号に対応する成分分析結果、および前記符号の色彩、形状、個数に対応する前記鋳塊の組成範囲が呼び出されると、前記組成範囲と前記成分分析結果とを比較して、後者が前者の範囲内であるとき、前記鋳造ロット記号に係る再生塊は純正品であると判定し、後者が前者の範囲外であるとき、前記鋳造ロット記号に係る再生塊は偽造品であると判定する真贋判定装置と、
前記真贋判定装置における判定結果を前記入力装置で入力された鋳造ロット記号と関連付けて出力する出力装置と、
を備えることを特徴とする再生塊の品質保証システム。
【発明の詳細な説明】
【技術分野】
【０００１】
本発明は、再生塊の品質保証方法および品質保証システムに関する。
【背景技術】
【０００２】
使用済みの平版印刷版や、製造ラインで平版印刷版ウェブを所定の寸法に裁断および切断する際に排出される端材はこれまで廃棄されていたが、これらは殆どが純アルミニウムまたはアルミニウム合金のシートからなる。
【０００３】
したがって、使用済みの平版印刷版や端材を再生地金として再生利用できれば経済的である。
【０００４】
使用済みの平版印刷版や端材を地金として再生する方法としては、たとえば使用済み平版印刷版および／または未使用平版印刷版の画像記録層および付着物を除去する工程と、前記記録層および付着物を除去された使用済み平版印刷版および／または未使用平版印刷版を溶解させてアルミニウム溶湯を得る工程と、前記アルミニウム溶湯からアルミニウム合金板を得る工程と、前記アルミニウム合金板に表面処理を施して平版印刷版用支持体を得る工程とを具備する平版印刷版用支持体の製造方法がある（特許文献１）。
【０００５】
また、使用済みの平版印刷版を１％以上含有する溶解用材料を用い、鋳造前に、ガスによる溶湯処理と濾材を用いる濾過を行って不純物およびＨ２ガスを除去した後に鋳造を行い、その後、冷間圧延、熱処理の何れか一方または両方を行ってアルミニウム薄板とした後、矯正、粗面化を行う平版印刷版用支持体の製造方法もある（特許文献２）。
【０００６】
更に、溶解炉でアルミニウムインゴットおよびアルミニウム母合金を溶解させて得られたアルミニウム溶湯に、使用済み平版印刷版を、前アルミニウム原材料の量に対する該使用済み平版印刷版の量が１〜９０質量％となる割合で投入して溶解させた溶湯からアルミニウム合金板を製造し、製造されたアルミニウム合金板に粗面化処理を行って平版印刷版用支持体とする平版印刷版用支持体の製造方法であって、該使用済み平版印刷版のうち、Ａ１０００系のものの質量をａとし、Ａ３０００系のものの質量をｂとすると、質量比ｂ／ａ≦０．３を満足するようにする製造方法もある（特許文献３）。
【０００７】
加えて使用済みのアルミニウム容器、および使用済みのアルミニウム製平版印刷版を原料として、アルミニウム含有率が９５〜９９ｗｔ％の低純度アルミニウム合金を鋳造、熱処理、圧延を行って圧延版とした後、粗面化処理、陽極酸化処理を行って平版印刷版用支持体とする方法もある（特許文献４）。
【０００８】
更に加えて、加熱手段を用いてアルミニウム原材料を溶解し、アルミニウム溶湯の状態で保持する第１室と、前記第１室と底部で連通し、上部において隔壁で仕切られた第２室とで構成された溶解炉を用いて前記アルミニウム原材料を溶解するとともに、使用済み平版印刷版や平版印刷版用アルミニウム板を、前記溶解炉の第２室に、前記アルミニウム溶湯に対して１重量％以上投入して溶解する平版印刷版の支持体の製造方法もある（特許文献５）。
【０００９】
家電製品などのリサイクルシステムとしては、たとえば、回収製品の名称、メーカ名、型名などの製品情報を前記回収製品から読み込む読込み手段と、前記製品情報に含まれる情報を、再製品化可能期限を表す期限情報に対応付ける製品仕様情報データベースと、前記製品情報に含まれる情報を、再販売に当たり満足する必要がある法規制情報および規格情報に対応付ける法規制／規格情報データベースとを記録する記憶手段と、前記読込み手段に読み込まれた製品情報に含まれる製造年月から、前記製品情報に含まれる情報に前記製品仕様情報データベースが対応付ける期限情報の示す再製品化可能期限の範囲内に前記回収製品がある場合であって前記読込み手段が読み込んだ製品情報に含まれる情報に前記法規制／規格情報データベースが対応付ける前記規正法上および前記規格情報を前記回収製品が満たしたときは、前記回収製品を再製品化対象と判定し、その他の場合には、前記塊修正品を、構成部品への分解処理対象と判定するリサイクル判定手段と、前記リサイクル判定手段の判定結果を出力する出力手段とを備えるリサイクルシステムがある（特許文献６）。
【００１０】
前記リサイクルシステムとしては、更に、廃棄物回収処理における受け渡し状況を管理する管理表を備え、該管理表の識別番号を記載する端を設けたシールを廃棄物に添付するようにしたリサイクルシステムもある（特許文献７）。
【特許文献１】特開２００５−１８６４１５号公報
【特許文献２】特許第３４２０８１７号公報
【特許文献３】特開２００２−２２５４４９号公報
【特許文献４】特開２００２−３３１７６７号公報
【特許文献５】特開２０００−３５１０６０号公報
【特許文献６】特許第３３４４８４５号公報
【特許文献７】特開２００２−０９９６１４号公報
【発明の開示】
【発明が解決しようとする課題】
【００１１】
前述のように使用済みの平版印刷版や端材などから再生した再生地金から平版印刷版を製造するときは、前記使用済みの平版印刷版や端材などを鋳造した再生塊と新地金とを溶解炉で溶解し、必要に応じて微量成分を添加して平版印刷版用スラブを作製し、これを所定の厚みまで圧延して片面または両面を粗面化して支持体とし、さらに前記支持体の粗面化面に製版層を形成するという手順を経るのが一般的である。
したがって、前記再生塊に偽造品や紛い物が混入すると、得られる平版印刷版に品質上の問題が生じたり、コスト上のロスが生じたりする。
【００１２】
本発明は、上記問題を解決すべく成されたものであり、再生塊の純正品と偽造品や紛い物とを容易に識別できる再生塊の品質保障方法および品質保証システムを提供するとともに、再生塊に規格外品が混入していた場合でも新地金とともに溶解することでスラブとして再生利用できるようにすることを目的とする。
【課題を解決するための手段】
【００１３】
請求項１に記載の発明は、未使用平版印刷版および使用済み平版印刷版の少なくとも一方を溶解して所定の形状に鋳造した再生塊の品質保証方法において、前記再生塊鋳造した鋳造元においては、前記再生塊を成分分析し、得られた成分分析結果を前記再生塊の鋳造ロット記号と関連付け、鋳造ロット記号と関連付けられた成分分析結果のデータを前記再生塊を出荷するユーザに送付するとともに、前記再生塊の組成範囲を表示する符号および鋳造ロット記号を前記再生塊に付して前記ユーザに出荷し、前記ユーザにおいては、前記鋳造元から前記再生塊を受領すると、前記再生塊に付された鋳造ロット記号および符号を、前記鋳造元から送付されたデータと比較し、前記データに係る鋳造ロット記号に関連付けられた成分分析結果が、前記符号で表示される組成範囲内であれば前記再生塊は純正品であると判定し、前記データに係る鋳造ロット記号に関連付けられた成分分析結果が、前記符号で表示される組成範囲外であれば前記再生塊は偽造品であると判定することを特徴とする。
【００１４】
請求項２に記載の発明は、請求項１に記載の再生塊の品質保証方法において、前記鋳造元で、組成範囲を示す符号および鋳造ロット記号に加えて前記再生塊の製造場所、および鋳造年月日も示す符号も前記再生塊に付してからユーザに出荷することを特徴とする。
【００１５】
請求項３に記載の発明は、請求項１または２に記載の再生塊の品質保証方法において、前記鋳造元において前記ユーザに出荷される再生塊に附される符号は、色彩によって前記再生塊に含まれる元素の種類を示し、前記符号の個数によって前記元素の含有量の範囲を示すことを特徴とする。
【００１６】
請求項４に記載の発明は、請求項１〜３の何れか１項に記載の再生塊の品質保証方法において、前記鋳造元で、前記再生塊の成分分析結果に加えて重量データもユーザに送付することを特徴とする。
【００１７】
請求項５に記載の発明は、請求項１〜４の何れか１項に記載の再生塊の品質保証方法において、前記ユーザでは、前記再生塊を鋳造元から受領すると、鋳造元から送付された前記再生塊に係るデータにおける成分分析結果を環境規制物質の規制基準と比較し、前記データに係る鋳造ロット記号に関連付けられた成分分析結果が前記符号で表示される組成範囲内であり、しかも前記成分分析結果に示される環境規制物質の含有量が前記規制基準内であるとき、前記再生塊を受け入れることを特徴とする。
【００１８】
請求項６に記載の発明は、請求項１〜５の何れか1項に記載の再生塊の品質保証方法において、前記ユーザでは、純正品と判定した複数の再生塊の夫々について、前記再生塊の鋳造ロット記号と前記鋳造元から送付されたデータとから成分分析結果を求め、成分分析結果の平均が、前記ユーザにおいて予め定められた基準内であれば、前記複数の再生塊を受け入れることを特徴とする。
【００１９】
請求項７に記載の発明は、請求項４に記載の再生塊の品質保証方法において、前記ユーザでは、純正品と判定した再生塊について、前記再生塊の鋳造ロット記号と前記鋳造元から送付されたデータとから成分分析結果を求め、鋳造元から送付された前記再生塊の重量データおよび前記手順で求められた再生塊の成分分析結果と、前記再生塊に所定の重量比で配合しようとする純アルミニウムまたはアルミニウム合金の新地金の成分組成および前記再生塊に対する重量比とから、前記再生塊および新地金から製造される平版印刷版用スラブの成分組成を求め、上記手順で求められた平版印刷版用スラブの成分組成がユーザの定めた基準内であれば、前記再生塊を受け入れることを特徴とする。
【００２０】
請求項８に記載の発明は、未使用平版印刷版および使用済み平版印刷版の少なくとも一方を溶解して所定の形状に鋳造した再生塊の品質保証システムであって、前記再生塊を成分分析して得られた成分分析結果を前記再生塊の鋳造ロット記号と関連付ける第1の処理装置と、前記第１の処理装置で関連付けられた成分分析結果と前記鋳造ロット記号とが格納される第１の記憶装置と、得られた再生塊に付された成分組成を示す符号の色彩、形状、個数と前記再生塊の組成範囲とが関連付けられて格納されている第２の記憶装置と、前記再生塊の鋳造ロット記号と、前記鋳造ロットに付された符号の色彩、形状、個数とが入力されると、前記第１の記憶装置から前記鋳造ロット記号に対応する成分分析結果を呼び出し、前記第２の記憶装置から前記符号の色彩、形状、個数に対応する前記鋳塊の組成範囲を読み出す第２の処理装置と、前記再生塊の鋳造ロット記号と、前記鋳造ロットに付された符号の色彩、形状、個数とを前記第２の処理装置に入力する入力装置と、前記入力装置から前記第２の処理装置に前記再生塊の鋳造ロット記号と、前記鋳造ロットに付された符号の色彩、形状、個数とが入力され、前記第２の処理装置によって前記鋳造ロット記号に対応する成分分析結果、および前記符号の色彩、形状、個数に対応する前記鋳塊の組成範囲が呼び出されると、前記組成範囲と前記成分分析結果とを比較して、後者が前者の範囲内であるとき、前記鋳造ロット記号に係る再生塊は純正品であると判定し、後者が前者の範囲外であるとき、前記鋳造ロット記号に係る再生塊は偽造品であると判定する真贋判定装置と、前記真贋判定装置における判定結果を前記入力装置で入力された鋳造ロット記号と関連付けて出力する出力装置と、を備えることを特徴とする。
【発明の効果】
【００２１】
請求項１の発明によれば、鋳造ロット記号に関連付けられた成分分析結果と、再生塊に付された符号で表示される組成範囲内とを比較して鋳造元から納入された再生塊の真贋を判定しているから、ユーザで再生塊の真贋を容易に識別できる再生塊の品質保障方法が提供される。
【００２２】
請求項２に記載の発明によれば、前記鋳造元で、組成範囲を示す符号および鋳造ロット記号に加えて前記再生塊の製造場所、および鋳造年月日も示す符号も前記再生塊に付してからユーザに出荷しているから、ユーザでは、再生塊の組成範囲を示す符号だけでなく、前記製造場所や製造年月日を示す符号も参照して再生塊の真贋を判定できる。したがって、再生塊の製造方法の変化や異なる製造場所における不純物管理のレベル差を考慮した再生塊の真贋の判定が可能になる。
【００２３】
請求項３の発明によれば、再生塊に含まれる不純物の種類に対応した色彩および形状の記号が附され、しかも、前記不純物の含有量に対応した個数の符号が鋳造元において付される。
【００２４】
したがって、ユーザにおいては、受領した再生塊に付されていた符号の色彩、形状、および個数から前記再生塊に含有される不純物の種類および含有量を知ることができる。
【００２５】
請求項４の発明によれば、再生塊の重量データもユーザに送付されるから、ユーザ側では前記重量データを利用することにより、前記再生塊がユーザ側で定めた規格から外れる規格外品であったときに前記再生塊を新地金に配合することで平版印刷版用スラブとして使用できるか否かの判断が可能になる。
【００２６】
請求項５の発明によれば、環境規制物質を基準値以上含有する再生塊がユーザで純正品として受け入れられることを防止できる。
【００２７】
請求項６の発明によれば、たとえば、複数個の再生塊のうちの一部がユーザで定めた基準を満たしていない場合であっても、前記複数個の再生塊の組成の平均値が前記基準を満たしていれば、前記ユーザで純正品として受け入れられるから、純正品ではあっても不純物含有量の多い再生塊を有効利用できる。
【００２８】
請求項７の発明によれば、たとえ純正品として受け入れた再生塊がユーザで定めた成分組成の基準から外れる規格外品であっても、前記再生塊に新地金を配合して得られる平版印刷版用スラブの成分組成が前記基準範囲内であれば受け入れられる。
したがって、前記規格から多少外れる再生塊であっても再利用が可能になる上、新地金のみから平版印刷版用スラブを製造する場合と比較して新地金を節約できるから、平版印刷版用スラブの製造コストを低減することができる。
【００２９】
請求項８の発明によれば、請求項１のところで述べたように、鋳造ロット記号に関連付けられた成分分析結果と、再生塊に付された符号で表示される組成範囲内とを比較して鋳造元から納入された再生塊の真贋を判定しているから、ユーザで再生塊の真贋を容易に識別できる再生塊の品質保障システムが提供される。
【発明を実施するための最良の形態】
【００３０】
１．実施形態１
鋳造元において使用済み平版印刷版および未使用平版印刷版から再生地金を再生して再生塊とする再生塊製造ラインの一例を図１に示す。
【００３１】
図１に示すように、再生塊製造ライン１は、ユーザから回収された使用済み平版印刷版１４Ａ、および平版印刷版製造工程で発生した不良品や裁断屑などの未使用平版印刷版１４Ｂを溶解して溶湯１２とする溶解炉１０と、溶解炉１０で得られた溶湯１２をガス処理するガス処理槽２４と、ガス処理槽２４でガス処理された溶湯１２を濾過する濾過槽２６と、濾過槽２６で濾過された溶湯１２を凝固させて再生塊３２とする水冷鋳型３０と、再生塊３２を下方から受ける受台３４と、濾過槽２６で濾過された溶湯１２を水冷鋳型３０に導く溶湯供給ノズル２８とを備える。溶解炉１０とガス処理槽２４とは管路２３で、ガス処理槽２４と濾過槽２６とは管路２５で、濾過槽２６と溶湯供給ノズル２８とは管路２７で接続されている。但し、得られた再生塊３２は、平版印刷版用スラブを製造するときに再度溶解されるから、そのときに脱ガス処理および濾過をしてもよい。したがって、再生塊製造ライン１においては、ガス処理槽２４および濾過槽２６を省略してもよい。
【００３２】
溶解炉１０は、上方が天井璧１６で遮蔽されているとともに、天井璧１６から底壁面１１に向かって隔壁１８が垂下している。溶解炉１０は、上部においては、隔壁１８によって第二室１０Ｂと第一室１０Ａとに仕切られているが、第二室１０Ｂと第一室１０Ａとは、溶解炉１０の底壁面１１近傍において連通する。
【００３３】
第二室１０Ｂの側璧には、使用済み平版印刷版１４Ａや未使用平版印刷版１４Ｂを投入する投入口２０が設けられている。
【００３４】
一方、第一室１０Ａには、バーナー２２が設けられており、投入された使用済み平版印刷版１４Ａおよび未使用平版印刷版１４Ｂを加熱溶解するようになっている。しかし、第二室１０Ｂとは隔壁１８で仕切られているので、投入口２０から投入された使用済み平版印刷版１４Ａや未使用平版印刷版１４Ｂにバーナー２２の炎が直接には接触しない構造となっている。
【００３５】
ガス処理槽２４には、導入された溶湯１２にアルゴンガスなどの不活性ガスを吹き込むためのガス吹込み管路２４Ａが設けられている。
【００３６】
濾過槽２６には、溶湯１２を濾過するためのセラミックスフィルタ２６Ａが設けられた濾過室２６Ｂと、セラミックスフィルタ２６Ａで濾過された溶湯１２を一時貯留する一時貯留室２６Ｃと、濾過室２６Ｂと一時貯留室２６Ｃとを仕切る隔壁２６Ｄとを備える。濾過室２６Ｂと一時貯留室２６Ｃとは、隔壁２６Ｄと濾過槽２６の底面との間の間隙において連通する。
【００３７】
以下、再生塊製造ライン１の作用について述べる。
【００３８】
溶解炉１０の第１室１０Ａにおいては、予め所定量の純アルミニウム合金のインゴットが投入され、これがバーナー２２の熱で溶解されて生じた溶湯１２によって底壁面１１近傍が満たされている。ここで、第１室１０Ａと第２室１０Ｂとは隔壁１８と底壁面１１との間の間隙によって連通しているから、第１室１０Ａで生じた溶湯１２は第２室１０Ｂにおける底壁面１１近傍にも溜まる。なお、溶湯１２の液面の高さは、隔壁１８の下端が溶湯１２中に浸漬されるように設定されている。
【００３９】
投入口２０から使用済み平版印刷版１４Ａや未使用平版印刷版１４Ｂが第２室１０Ｂに投入されると、投入された使用済み平版印刷版１４Ａや未使用平版印刷版１４Ｂは溶湯１２の熱で溶解される。
【００４０】
使用済み平版印刷版１４Ａや未使用平版印刷版１４Ｂを溶解した溶湯１２は、管路２３を通して溶解炉１０から取り出してガス処理槽２４に導入され、ガス処理槽２４において、ガス吹込み管路２４Ａを通してアルゴンガスなどの不活性ガスが吹き込まれる。これにより、使用済み平版印刷版１４Ａや未使用平版印刷版１４Ｂに付着していた製版層や合紙、包装材などの不純物が燃焼して生じた燃焼ガスおよび溶湯１２が水分と反応して生じた水素ガスなどの溶湯１２に溶存していた溶存ガスが除去される。
【００４１】
ガス処理槽２４で溶存ガスが除去された溶湯１２は、管路２５を通って濾過槽２６の濾過室２６Ｂに導入され、内部に設けられたセラミックスフィルタ２６Ａで濾過される。これにより、溶湯１２中の前記不純物が燃焼して生じた残渣が除去される。
【００４２】
セラミックスフィルタ２６Ａで濾過された溶湯１２は、一時貯留室２６Ｃに導入され、管路２７を通って溶湯供給ノズル２８に送られ、水冷鋳型３０に導入される。そして、水冷鋳型３０によって所定形状の再生塊３２に鋳造される。
【００４３】
このようにして鋳造された再生塊３２のうちから所定個数、たとえば１個の再生塊３２が抜き出され、Ａｌ、Ｓｉ、Ｃｕ、Ｆｅ、およびＴｉの含有量が測定される。なお、含有量を測定される元素の種類はＡｌ、Ｓｉ、Ｃｕ、Ｆｅには限定されないから、これらの元素に加え、ＭｎおよびＭｇの含有量を測定してもよい。
【００４４】
抜き出した再生塊３２について元素分析がされたら、図２に示すように、再生塊３２にたとえばＡＡ−１２３４のような鋳造ロットを示す符号を刻印する。そして、再生塊３２の１個当たり重量がたとえば５０ｋｇであり、平成１９年１０月１６日の鋳造であれば、前記ロットを示す符号ＡＡ−１２３４の下方に５０ｋｇ、および平成１９年１０月１６日の日付を刻印する。
【００４５】
更に、図２に示す刻印に加えて、図３に示すように、Ｓｉについては赤線、Ｃｕについては青線、Ｆｅについては黄線、Ｔｉについては白線というように、再生塊３２に、元素毎に異なる色彩の線からなる符号を付する。なお、前記符号として、元素毎に異なる色彩の線を付す代わりに、異なる色彩の点や三角印、星印等、各種のマークを付してもよい。
【００４６】
また、これらの符号の本数や個数によってＳｉ、Ｃｕ、Ｆｅ、およびＴｉの含有量を示すようにしてもよい。
【００４７】
このように再生塊３２に異なる色彩の線、点、三角印、星印などの符号を附すことにより、前記再生塊３２における元素含有量が一目瞭然で判る。
【００４８】
平版印刷版を製造する際は、通常、図４に示すように、異なる鋳造ロット、たとえばＡＡ−１２３４、ＡＡ−１２３５、およびＡＡ−１２３６の再生塊３２が、夫々ｘ個、ｙ個、およびｚ個溶解炉に投入されて溶解、混合され、凝固されて地金スラブが形成される。
【００４９】
そして、得られた地金スラブを所定の厚さまで圧延してウェブとし、このウェブの片面または両面を粗面化処理して支持体ウェブとする。そしてこの支持体ウェブの粗面化面に感光性、感熱性、または光重合性の製版層を形成して平版印刷版ウェブとし、これを所定のサイズに裁断および切断して平版印刷版３４とする。
【００５０】
このようにして製造された平版印刷版３４の製版層３４Ａとは反対側の面３４Ｂに、図５に示すように平版印刷版のロット番号などの識別表示を表示することで、ユーザで製版、印刷中に品質故障が生じたときに、何時製造されたどの鋳造ロットの再生塊３２が使用されたかの追跡が容易に行える。したがって、前記品質故障が再生塊３２の品質によるものなのか、それとも加工工程の不良によるものなのかの判断が容易になる。
【００５１】
また、ロット番号ＡＡ−１２３４、ＡＡ−１２３５、およびＡＡ−１２３６の再生塊３２のうち、たとえばロット番号ＡＡ−１２３４において、Ｓｉ含有量、Ｃｕ含有量、Ｆｅ含有量、およびＴｉ含有量のうち、Ｓｉ含有量ａ１重量％が平版印刷版用支持体として許容できる基準範囲外であってとしても、ロット番号ＡＡ−１２３４、ＡＡ−１２３５、およびＡＡ−１２３６の再生塊３２のＳｉ含有量の平均値（ａ１・ｘ＋ａ２・ｙ＋ａ３・ｚ）／（ｘ＋ｙ＋ｚ）が前記基準範囲内であれば、ロット番号ＡＡ−１２３４の再生塊３２も使用できる。したがって、製造したＡＡ１２３４、１２３５、１２３６の再生塊３２の何れかが、Ｓｉ含有量、Ｃｕ含有量、Ｆｅ含有量、およびＴｉ含有量のうち、たとえばＳｉ含有量が前記基準範囲外であっても、前記再製秋３２は、新たな平版印刷版用支持体の材料の一部として配合できる。
【００５２】
以下、再生塊３２の真贋を判別するための品質保証システムの一例について説明する。
本件実施形態に係る品質保証システム１００は、たとえば図６に示すように、再生塊３２の鋳造ロット記号などを入力するためのキーボード４０と、キーボード４０からの入力結果などを表示するディスプレー４２と、第１の記憶装置４４と、キーボード４０、ディスプレー４２、および第１の記憶装置４４が接続され、更に再生塊３２に含まれる元素の含有量を測定する元素分析装置１５０からの測定結果が入力される演算処理装置４６と（第１の処理装置）と、演算処理装置４６とサーバ６０を介して接続されている演算処理装置５０（第２の処理装置）と、演算処理装置５０に接続され、ユーザ側で受領した再生塊３２に付された後述する組成範囲を示す符号に関する情報を入力するキーボード５２（入力装置）と、同じく演算処理装置５０に接続され、キーボード５２における入力結果および演算処理装置５０における処理結果などを表示するディスプレー５４（出力装置）と、演算処理装置５０に接続され、予め図３に示す記号と各元素の含有量の範囲とが関連付けられて記憶されている第２の記憶装置５６とを備える。
【００５３】
品質保証システム１００の構成要素のうち、キーボード４０、ディスプレー４２、演算処理装置４６、および第１の記憶装置４６は鋳造元に設置され、キーボード５２、ディスプレー５４、演算処理装置５０、および第２の記憶装置５６はユーザ側に設置されている。
【００５４】
以下、品質保証システム１００の作用について説明する。
図１に示す再生塊製造ライン１で鋳造ロットがＡＡ−１２３４である再生塊３２が製造されると、図７のステップＳ２において、キーボード４０から鋳造ロット記号「ＡＡ−１２３４」が入力される。キーボード４０から鋳造ロット記号「ＡＡ−１２３４」が入力されると、ステップＳ４において、演算処理装置４６は、鋳造ロット記号ＡＡ−１２３４の再生塊３２の分析結果（Ｓｉ：ａ１ｗｔ％、Ｃｕ：ｂ１ｗｔ％、Ｆｅ：ｃ１ｗｔ％、Ｔｉ：ｄ１ｗｔ％）を元素分析装置１５０から呼び出し、ステップＳ６において、キーボード４０から入力された鋳造ロット番号ＡＡ−１２３４を、元素分析装置１５０から呼び出した元素分析結果（Ｓｉ：ａ１ｗｔ％、Ｃｕ：ｂ１ｗｔ％、Ｆｅ：ｃ１ｗｔ％、Ｔｉ：ｄ１ｗｔ％）と関連付けて第１の記憶装置４４に格納する。
【００５５】
同様に、図１に示す再生塊製造ライン１で鋳造ロットがＡＡ−１２３５である再生塊３２が製造されると、ステップＳ２においてキーボード４０から鋳造ロット記号「ＡＡ−１２３５」が入力される。キーボード４０から鋳造ロット記号「ＡＡ−１２３５」が入力されると、演算処理装置４６は、鋳造ロット記号ＡＡ−１２３５の再生塊３２の分析結果（Ｓｉ：ａ２ｗｔ％、Ｃｕ：ｂ２ｗｔ％、Ｆｅ：ｃ２ｗｔ％、Ｔｉ：ｄ２ｗｔ％）を元素分析装置１５０から呼び出す。そして、ステップＳ４において、演算処理装置４６は、キーボード４０から入力された鋳造ロット番号ＡＡ−１２３５を、元素分析装置１５０から呼び出した元素分析結果（Ｓｉ：ａ２ｗｔ％、Ｃｕ：ｂ２ｗｔ％、Ｆｅ：ｃ２ｗｔ％、Ｔｉ：ｄ２ｗｔ％）と関連付けて第１の記憶装置４４に格納する。以下同様である。
【００５６】
上記情報を第１の記憶装置４４に格納したら、ステップＳ８において、鋳造元は再生塊３２に図２に示す刻印および図３に示す符号を付して出荷する。ここで、図２に示す刻印は、鋳造ロット記号、重量、および製造年月日を示すものであり、鋳造場所を示す記号が含まれていてもよい。図３の符号は、再生塊３２の元素含有量を示すものであり、たとえばＳｉ含有量を示す赤線、Ｃｕ含有量を示す青線、Ｆｅ含有量を示す黄線、およびＴｉ含有量を示す白線からなっている。そして、これらの赤線、青線、黄線、および白線は、何れも１本のときはこれらの元素の含有量がｘ重量％未満であることを、２本のときはｘ重量％以上ｙ重量％未満であることを、３本のときはｙ重量％以上ｚ重量％未満であることを、４本のときはｚ重量％以上であることを示す。但し、ｘ＜ｙ＜ｚである。なお、図３に示す符号における赤線、青線、黄線、および白線の本数は、夫々３本、２本、１本、１本である。
再生塊３２は、これらの刻印および符号を付された後、鋳造元からユーザに出荷される。
【００５７】
ここで、ユーザ側に設置されている第２の記憶装置５６には、前記赤線、青線、黄線、白線が示す元素、および本数と各元素の含有量との関係についての情報が格納されている。
【００５８】
ユーザは、鋳造元から再生塊３２を受領すると、ステップＳ１０においてキーボード５２から再生塊３２の鋳造ロット番号ＡＡ−１２３４を入力するとともに、および再生塊３２に付された符号に関する情報、即ち赤線、青線、黄線、および白線が夫々３本、２本、１本、１本である旨入力する。
【００５９】
キーボード５２から鋳造ロット番号および前記符号に関する情報が入力されたら、ステップＳ１２において、演算処理装置５０は、第２の記憶装置５６から、赤線、青線、黄線、白線が示す元素、および本数と各元素の含有量の範囲との関係についての情報を呼び出し、前記情報と、キーボード５２から入力された赤線、青線、黄線、白線の本数とから、鋳造ロットがＡＡ−１２３４の再生塊３２の組成範囲を求める。ここで、先にも述べたように、前記再生塊３２に付された赤線、青線、黄線、白線の本数は、夫々３本、２本、１本、１本であるから、前記再生塊３２の組成範囲は、Ｓｉがｙ重量％以上ｚ重量％未満、Ｃｕがｘ重量％以上ｙ重量％未満、ＦｅおよびＴｉが夫々ｘ重量％未満となる。
【００６０】
ステップＳ１４において、演算処理装置５０は、サーバ６０を介して第１記憶装置から鋳造ロット番号ＡＡ−１２３４の再生塊３２の元素分析結果（Ｓｉ：ａ１ｗｔ％、Ｃｕ：ｂ１ｗｔ％、Ｆｅ：ｃ１ｗｔ％、Ｔｉ：ｄ１ｗｔ％）を呼び出す。
【００６１】
そして、ステップＳ１６において、演算処理装置５０は、ステップＳ１２で求めた再生塊３２の組成範囲と、第１の記憶装置４４から呼び出した再生塊３２の元素分析結果とを比較する。そして、前記元素分析結果が前記組成範囲内であれば、言いかえればｚ＞ａ１≧ｙ、ｙ＞ｂ１≧ｘ、ｘ＞ｃ１、およびｘ＞ｄ１の関係がすべて成り立てば、再生塊３２は純正品であると判定する。一方、前記元素分析結果が前記組成範囲外であれば、言いかえればｚ＞ａ１≧ｙ、ｙ＞ｂ１≧ｘ、ｘ＞ｃ１、およびｘ＞ｄ１の関係の何れか１つでも成り立たないときは、再生塊３２は偽造品であると判定する。
【００６２】
ステップＳ１８において、演算処理装置５０は、上記判定結果をディスプレー５４に表示する。ユーザは、上記表示結果を見て再生塊３２を受け入れるか破棄するかを決定すればよい。
【図面の簡単な説明】
【００６３】
【図１】図１は、使用済み平版印刷版および未使用平版印刷版から地金を再生して再生塊とする再生塊製造ラインの一例を示す説明図である。
【図２】図２は、本願発明の再生塊の一例を示す斜視図である。
【図３】図３は、本願発明の再生塊の別の例を示す斜視図である。
【図４】図４は、印刷画像に品質故障が生じたときに前記品質故障の原因を特定する手段を示す流れ図である。
【図５】図５は、平版印刷版にロット番号を附した例を示す斜視図である。
【図６】図６は、前記再生塊が純正品か偽造品かを判定する品質保証システムの構成を示すブロック図である。
【図７】図７は、図６に示す品質保証システムにおける純正品か偽造品かの判定手順を示す流れ図である。
【符号の説明】
【００６４】
１      再生塊製造ライン
１０      溶解炉
１０Ａ    第一室
１０Ｂ    第二室
１１      底壁部
１２      溶湯
１４Ａ    使用済み平版印刷版
１４Ｂ    未使用平版印刷版
１６      天井璧
１８      隔壁
２０      投入口
２２      バーナー
２３      管路
２４      ガス処理槽
２４Ａ    ガス吹き込み管路
２５      管路
２６Ａ    セラミックスフィルタ
２６Ｂ    濾過室
２６Ｃ    一時貯留室
２６Ｄ    隔壁
２６      濾過槽
２７      管路
２８      溶湯供給ノズル
３０      水冷鋳型
３２      再生塊
４０      キーボード
４２      ディスプレー
４４      記憶装置
４６      演算処理装置
４６      記憶装置
５０      演算処理装置
５２      キーボード
５４      ディスプレー
５６      記憶装置
６０      サーバ
１００      品質保証システム
１５０      元素分析装置
【図１】
2009237819.tif 000003
【図２】
2009237819.tif 000004
【図３】
2009237819.tif 000005
【図４】
2009237819.tif 000006
【図５】
2009237819.tif 000007
【図６】
2009237819.tif 000008
【図７】
2009237819.tif 000009